(57)【要約】【課題】容器内からの内容物の流出を防止し計量にかかわる内容物のみを注出できる定量注出器を提案する。【解決手段】容器内の内容物の定量取り入れを可能とする貯溜空間を備え、注出経路を通して貯溜空間内の内容物を注出する定量注出器を、容器（１）内に通じる通路（２ａ）を有し容器（１）の口部（１ａ）において装着される弁座（２）と、内容物を注出する注出経路（３ａ）を有し該弁座（２）と協働してその内部に貯溜空間（Ｍ）を形成するヘッド（３）と、貯溜空間（Ｍ）内においてスライド可能に弾発支持され前記注出経路（３ａ）及び弁座（２）の通路（２ａ）を交互に開閉して貯溜空間（Ｍ）への内容物の定量取り入れと該貯溜空間（Ｍ）からの内容物の注出を行なう弁体（４）と、前記ヘッド（３）を内側に納めて容器（１）の口部側壁に係合保持されるカバー（６）とにて構成する。【選択図】図１
2006036319.tif 000002
【特許請求の範囲】
【請求項１】
容器内の内容物の定量取り入れを可能とする貯溜空間を備え、注出経路を通して貯溜空間内の内容物を注出する定量注出器であって、
容器内に通じる通路を有し容器の口部において装着される弁座と、内容物を注出する注出経路を有し該弁座と協働してその内部に貯溜空間を形成するヘッドと、貯溜空間内においてスライド可能に弾性支持され前記注出経路及び弁座の通路を交互に開閉して貯溜空間への内容物の定量取り入れと該貯溜空間からの内容物の注出を行なう弁体と、前記ヘッドを内側に納めて容器の口部側壁に係合保持されるカバーとからなることを特徴とする定量注出器。
【請求項２】
容器内の内容物の定量取り入れを可能とする貯溜空間を備え、注出経路を通して貯溜空間内の内容物を注出する定量注出器であって、
容器内に通じる通路を有し容器の口部において装着される弁座と、この弁座と協働してその内部に貯溜空間を形成するとともに該貯溜空間及び外界を相互につなぐ貫通孔を有するヘッドと、このヘッドの貫通孔に摺動可能に嵌合保持する頭部を有し前記貯溜空間内において往復移動可能に弾性支持されるロッドと、前記ヘッドを内側に納め容器の口部側壁に係合保持されるカバーとからなり、
前記ロッドに、該ロッドの往復移動に合わせて弁座の通路を開閉する弁部と、該弁座の通路が開放された状態で閉塞するが該通路が閉じた状態では開放して貯溜空間内の内容物を外界に向けて注出する注出経路を設けたことを特徴とする定量注出器。
【請求項３】
前記注出経路は、ヘッドの貫通孔の側壁に向けて開口する横通路と、この通路につながりロッドの軸心に沿いその先端に向けて開口する縦通路からなる請求項２記載の定量注出器。
【請求項４】
前記弁体又はロッドはその先端に、注出経路の出側先端にてエアー置換用の隙間を形成して内容物の効率的な注出を行なう凸部を有する請求項１〜３の何れかに記載の定量注出器。
【請求項５】
前記弁体又はロッドはその先端に、接触面積の拡大を図って注出姿勢を安定維持するディスクを有する請求項１〜４の何れかに記載の定量注出器。
【請求項６】
前記カバーは、その内側に弁体の頭部又はロッドの先端に係合し該カバーの取り外しに帯同して弁体又はロッドを移動させる係合突起を有する請求項１〜５の何れかに記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等、一回の使用量が定められたものは、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部に排出するようにしていた（例えば、特許文献１参照）。
【特許文献１】特開２００２−３３７９１０号公報
【０００３】
ところで、従来のこの種の定量注出器は、計量にかかわる内容物を注出している最中に弁体に不用意な力が作用すると該弁体が簡単にスライドしてしまい、容器と計量筒部とを隔絶する弁が開放されることもあって、この場合、計量筒部内に容器内の内容物が流れ込んでしまう結果、定量注出ができないおそれがあった。
【発明の開示】
【発明が解決しようとする課題】
【０００４】
本発明の課題は簡便な操作のもので計量を行なうことが可能で、計量に係わる内容物のみ確実に注出できる新規な定量注出器を提案するところにある。
【課題を解決するための手段】
【０００５】
本発明は、容器内の内容物の定量取り入れを可能とする貯溜空間を備え、注出経路を通して貯溜空間内の内容物を注出する定量注出器であって、
容器内に通じる通路を有し容器の口部において装着される弁座と、内容物を注出する注出経路を有し該弁座と協働してその内部に貯溜空間を形成するヘッドと、貯溜空間内においてスライド可能に弾性支持され前記注出経路及び弁座の通路を交互に開閉して貯溜空間への内容物の定量取り入れと該貯溜空間からの内容物の注出を行なう弁体と、前記ヘッドを内側に納めて容器の口部側壁に係合保持されるカバーとからなることを特徴とする定量注出器である。
【０００６】
また、本発明は、容器内の内容物の定量取り入れを可能とする貯溜空間を備え、注出経路を通して貯溜空間内の内容物を注出する定量注出器であって、
容器内に通じる通路を有し容器の口部において装着される弁座と、この弁座と協働してその内部に貯溜空間を形成するとともに該貯溜空間及び外界を相互につなぐ貫通孔を有するヘッドと、このヘッドの貫通孔に摺動可能に嵌合保持される頭部を有し前記貯溜空間内において往復移動可能に弾性支持されるロッドと、前記ヘッドを内側に納め容器の口部側壁に係合保持されるカバーとからなり、
前記ロッドに、該ロッドの往復移動に合わせて弁座の通路を開閉する弁部と、該弁座の通路が開放された状態で閉塞されるが該通路が閉じた状態では開放されて貯溜空間内の内容物を外界に向けて注出する注出経路を設けたことを特徴とする定量注出器である。
【０００７】
上記の構成になる定量注出器においては、前記注出経路を、ヘッドの貫通孔の側壁に向けて開口する横通路と、この通路につながりロッドの軸心に沿いその先端に向けて開口する縦通路にて構成することができる。
【０００８】
また、弁体又はロッドの先端には、注出経路の出側先端にてエアー置換用の隙間を形成して内容物の効率的な注出を行なう凸部を設けることができる他、接触面積の拡大を図って注出姿勢を安定維持するためにディスクを設置することもできる。
【０００９】
前記カバーについては、その内側に弁体の頭部又はロッドの先端に係合し該カバーの取り外しに帯同させて弁体又はロッドを移動させる係合突起を有するものが好ましい。
【発明の効果】
【００１０】
弁体を、板ばねの如き部材にて弾性支持することで、それを一気に撥ね上げ、撥ね下げることができるため注出経路、弁座の通路の開閉を確実に行なうことができるとともに、その際の弾性力が弁体の押しつけ力として作用し弁体の姿勢が比較的強固に維持されるため、不用意な力が付加されても弁体が簡単にスライド（位置ずれ）することがなく貯溜空間に取り入れた内容物のみの注出が可能になる。
【００１１】
ロッドを弾性支持する構造のものにおいても、弾性力によってロッドの姿勢が維持されるため該ロッドに不用意な力が付加されても簡単にスライドすることはない。
【発明を実施するための最良の形態】
【００１２】
以下、図面を用いて本発明をより具体的に説明する。
図１は本発明にしたがう定量注出器の実施の形態を示したものである。
【００１３】
図における１は内容物を収納する容器、２は容器１の口部１ａにおいて装着される弁座である。この弁座２はその中央に容器内に通じる通路２ａを有しており、該通路２ａ端部から上方へ傾斜する天板を形成し、天板外端部付近下面より容器１の口部１ａに圧入する環状足部を垂下させている。
【００１４】
また、３は容器１の口部１ａの外側においてねじ止め（あるいはアンダーカット係合）された例で示したヘッドである。このヘッド３は内容物を注出するための注出経路３ａを有しており、弁座２と協働してその内部に内容物を定量取り入れるための貯溜空間Ｍを形成する。
【００１５】
４は貯溜空間Ｍに配置された弁体である。この弁体４はヘッド３の注出経路３ａを通り抜けて外部に突出する頭部４ａと、弁座２の通路２ａに合致して該通路２ａを閉塞する基部４ｂを有するもので、頭部４ａの周りには複数本の縦溝４ｃが形成されており貯溜空間Ｍに存在する内容物はヘッド３の注出経路３ａと縦溝４ｃの相互間に形成される隙間を通して注出される。
【００１６】
５は弁体４の基部４ｂ及び容器１の口部１ａ（本実施例では、ヘッド３に固着された環状壁部を指す）の相互間に設置され該弁体４を弾性支持する板ばねの如き弾性部材である。この弾性部材５は両端（接続端）が揺動可能で２方向（上下）に弾性反転（弾性力は弁体に対して常に作用している）できるようになっており基部４ｂの周りに間隔をおいて複数枚設置される。
【００１７】
弾性部材５にて支持した弁体４を下方にスライドさせた図１に示すような状態では、弁体４の基部４ｂが弁座２の通路２ａに適合、閉塞し（この時、注出経路３ａは開放されていて内容物の定量注出が可能となる）、容器１を反転させても容器１内の内容物が貯溜空間Ｍに流れ込むことはなく、逆に、弁体４を上方にスライドさせた図２に示すような状態では、弁体４の頭部４ａの本体部分が注出経路３ａに嵌合、閉塞し（この時、通路２ａは開放され内容物の計量が可能となる）注出経路３ａを通して内容物が漏れ出すことがない。
【００１８】
また、６はヘッド３を内側に納めて容器１の口部１ａ側壁にねじあるはアンダーカットによって係合保持されるカバーである。このカバー６はその内側に弁体４の頭部４ａに係合する係合突起６ａを有しており、カバー６の取り外しに帯同させて弁体４をスライドさせることができるようになっている。
【００１９】
容器１内の内容物を計量するには、まず、カバー６を取り外す。この時、弁体４は図２に示すような状態にあり、図３に示す如く、容器１を反転することで貯溜空間Ｍ内に内容物の定量取り入れが可能となる。
【００２０】
貯溜空間Ｍ内の内容物を注出するには、容器１を図３に示すような姿勢のまま、供給箇所（例えば育毛剤にあっては頭皮等）に接触させ、弾性部材５の弾発力を上回る程度の力でもって弁体４を押し込む。
【００２１】
そうすると、弁体４は図４に示すような状態になり貯溜空間Ｍ内の内容物のみが注出経路３ａを通して注出されることとなる。
【００２２】
図５は本発明にしたがう定量注出器の他の実施の形態を示したものである。
図における７は容器１の口部１ａにおいて装着される弁座である。この弁座７は容器内に通じる通路７ａを有する。
【００２３】
また、８はヘッドである。このヘッド８は弁座７と協働してその内部に貯溜空間Ｍを形成するとともに該貯溜空間Ｍ及び外界を相互につなぐ貫通孔８ａを有する。
【００２４】
９はヘッド８の貫通孔８ａに嵌合保持する頭部を有し貯溜空間Ｍ内において往復移動可能なロッド、１０はロッド９を後述する弁部９ａと容器１の口部１ａ（本実施例では、ヘッド３に固着された環状壁部を指す）の相互間にて弾発支持する板ばねの如き弾性部材、１１はヘッド８を内側に納め容器１の口部側壁に係合保持されるカバー、そして１２はロッド９の先端に設けられ注出経路の出側先端でエアー置換用の隙間を形成して内容物の効率的な注出を行なう凸部である。
【００２５】
上記の構成になる注出器のロッド９は、その往復移動に合わせて弁座７の通路７ａを開閉する弁部９ａと、該弁座７の通路７ａが開放された状態で閉塞するが該通路７ａが閉じた状態で開放して貯溜空間Ｍ内の内容物を外界へ向けて注出する注出経路９ｂを有する構造のもので、注出経路９ｂはヘッド８の貫通孔８ａの側壁に向けて開口する横通路９ｂ１と、この通路９ｂ１につながりロッド９の軸心Ｐに沿いその先端に向けて開口する縦通路９ｂ２からなっている。
【００２６】
弾性部材１０にて支持されたロッド９が下方に位置する図５に示すような状態では、ロッド９の弁部９ａが弁座７の通路７ａに適合、閉塞し（この時、注出経路９ｂは開放されていて内容物の定量注出が可能となる）、容器１を反転させても容器１内の内容物が貯溜空間Ｍに流れ込むことはなく、逆に、ロッド９を上方に移動させた図６に示すような状態では、ロッド９の注出経路９ｂが貫通孔８ａの壁部に密着、閉塞され（この時、通路７ａは開放され内容物の計量が可能となる）注出経路９ｂを通して内容物が漏れ出すことがない。
【００２７】
ロッド９を往復移動させるには、上掲図１に示した構造の注出器と同様に、カバー１１の内側にロッド９の頭部に係合する係合突起１１ａを設けておき、カバー１１の取り外しに際してカバー１１の動きに帯同させればよい。
【００２８】
内容物の計量と計量にかかわる内容物の注出は上掲図１に示した構成の注出器と同様の手順にて行なうことができるもので、その説明は省略するが、この例の定量注出器は、図７に示すように、ロッド９の先端に設けられた凸部１２が注出経路９ｂの出側先端でエアー置換用の隙間１３を形成するため内容物を効率的に注出できる利点がある。なお、凸部１２はエアー置換用の隙間１３を形成するのみならず、育毛剤等の薬品注出器として使用する際には、刺激、マッサージ効果をも奏するものであり、その個数（あるいは本数）は適宜に選択される。
【００２９】
ロッド９の先端には注出経路９ｂの出側先端を取り囲むように一体成形された図８に示すようなディスク１４を設置することもでき、これにより接触面積の拡大を図って内容物を注出する際の注出姿勢を安定化させることができる。
【００３０】
弁座７について上掲図５〜８においてはロッド９の凹部に入り込み該ロッド９の往復移動を誘導するガイド７ｂを設けたものとして示したが、このようなガイド７ｂにてロッド９を誘導することでロッド９の移動がスムーズになる。
【００３１】
図９、図１０（ａ）（ｂ）は本発明にしたがう定量注出器のさらに他の実施の形態を示したものである。
【００３２】
図９は上掲図１に示した構成の注出器と基本的には同構成のものであり、相違点は弾性部材５を支持する環状壁部の固着位置を図１に示したヘッド３に代えて弁座２の内側としたところにある。
【００３３】
すなわち、この実施例は、弁座２の外周より立ち上がる壁部を形成し同壁部内に弾性部材５を支持する環状壁部を圧入するか、又はアンダーカット嵌合等の方法により固着するものであり、このような構成を採用しても図１に示した注出器と同様の作用、効果を奏することになる。
【００３４】
図１０（ａ）（ｂ）は、上掲図１に示した構成のものに傘状の断面を有する押圧塗布部材１５を配置したものであり、図１０（ａ）は要部の外観斜視図であり、図１０（ｂ）はその断面を示した図である。
【００３５】
押圧塗布部材１５の表面には複数の突起部１５ａが成形されており、また、内容物の注出に際して取り付け部材１５自体が抵抗にならないように縦溝４ｃにつながるスリット１５ｂを有している。
【００３６】
このような押圧塗布部材１５を弁体４の頭部４ａに取り付けることで、内容物の注出、塗布に際して塗布部位に刺激、マッサージ効果を与えることが可能となる。なお、この実施例では、図示しないカバー６の取り外しに帯同させて弁体４をスライドさせるため、押圧塗布部材１５の外周下端に係合する係合突起をカバー６に設ける必要がある。
【００３７】
本発明の定量注出器は、構成部材の全てを合成樹脂にて成形できるもので、育毛剤等の薬品の他、化粧料や調味料等の容器に適用可能でありその用途は広範囲にわたる。
【産業上の利用可能性】
【００３８】
計量した内容物のみを確実に注出できる定量注出器が提供できる。
【図面の簡単な説明】
【００３９】
【図１】本発明にしたがう定量注出器の実施の形態を示した図である。
【図２】弁体をスライドさせた状態を示した図である。
【図３】図１に示した定量注出器の計量要領の説明図である。
【図４】図１に示した定量注出器の注出要領の説明図である。
【図５】本発明にしたがう定量注出器の他の実施の形態を示した図である。
【図６】ロッドを移動させた状態を示した図である。
【図７】図５に示した注出器の注出状態を示した図である。
【図８】本発明にしたがう定量注出器のさらに他の実施の形態を示した図である。
【図９】本発明にしたがう定量注出器のさらに他の実施の形態を示した図である。
【図１０】本発明にしたがう定量注出器のさらに他の実施の形態を示した図であり、（ａ）は要部の外観斜図であり、（ｂ）は要部の断面図である。
【符号の説明】
【００４０】
１  容器
１ａ  口部
２  弁座
２ａ  通路
３  ヘッド
３ａ  注出経路
４  弁体
４ａ  頭部
４ｂ  基部
４ｃ  縦溝
５  弾発部材
６  カバー
６ａ  係合突起  
７  弁座
７ａ  通路
８  ヘッド
８ａ  貫通孔
９  ロッド
９ａ  頭部
９ｂ  注出経路
１０  弾発部材
１１  カバー
１２  凸部
１３  隙間
１４  ディスク
１５  押圧塗布部材
１５ａ  突起部
１５ｂ  スリット
【図１】
2006036319.tif 000003
【図２】
2006036319.tif 000004
【図３】
2006036319.tif 000005
【図４】
2006036319.tif 000006
【図５】
2006036319.tif 000007
【図６】
2006036319.tif 000008
【図７】
2006036319.tif 000009
【図８】
2006036319.tif 000010
【図９】
2006036319.tif 000011
【図１０】
2006036319.tif 000012